(57)【要約】【課題】作業現場以外の場所でも使用に違和感のないファッショナブルなファン付上着を提供する。【解決手段】ファン付上着１は、下部に空気取り込み口６が開口した後身頃３と、内側から襟５の左右の間隔を短縮して襟５を弛ませる首当帯７とを有し、空気取り込み口６に取り付けられたファン１５を用いて空気を取り込み、襟５と首当帯７の間を排出させる。首当帯７の端部は、夫々両肩に固着されている。首当帯７の長さ方向に間隔を開けて雌雄の関係で係合可能な係合部１０が設けられており、係合部１０を係合することにより首当帯７の長さを短縮する。【選択図】  図１
2018111892.tif 000002
【特許請求の範囲】
【請求項１】
下部に空気取り込み口が開口した後身頃と、内側から左右の間隔を短縮して襟を弛ませる首当帯とを有し、前記空気取り込み口に取り付けられたファンを用いて空気を取り込み、前記襟と首当帯の間を利用して排出させるファン付上着において、
前記首当帯の端部は、夫々両肩に固着され、
前記首当帯の長さ方向に間隔を開けて雌雄の関係で係合可能な係合部が設けられており、前記係合部を係合することにより当該首当帯の長さを短縮することを特徴とするファン付上着。
【請求項２】
請求項１のファン付上着において、
ファン付上着の後身頃の内側はヘリンボーン柄の織物地であり、ヘリンボーン柄を構成する各山型模様の頂上は上に向けたテクスチャであることを特徴とするファン付上着。
【請求項３】
請求項１のファン付上着において、
前見頃の表側に開口が設けられたポケットであって、当該開口に入口が縫着され、内側にはスリットが設けられているポケット袋と、
前記ポケット袋のスリットに対して入口が縫着され、外部から内部に貫通したコードホールが設けられている内ポケット袋とを有し、前記ポケット袋及び内ポケット袋が順に前記前見頃の裏側に重なっており、かつファスナにより前記ポケット袋若しくは内ポケット袋の少なくともいずれかが封止可能である特徴とするファン付上着。
【請求項４】
下部に空気取り込み口が開口した後身頃と、内側から襟の左右の間隔を短縮して襟を弛ませる首当帯とを有し、前記空気取り込み口に取り付けられたファンを用いて空気を取り込み、前記襟と首当帯の間を利用して排出させるファン付上着において、
襟の内側に左右間隔を離して夫々設けられた係合部と、
後身頃の内側に縫い付けられた裏地と、
前記裏地の中心に上下に間隔を離して夫々設けられた係合部と、
前記首当帯の両端に、前記襟の係合部及び前記裏地の係合部に対して雌雄の関係で係合する係合部が夫々設けられており、
前記裏地の係合部の間隔は、前記首当帯の係合部の間隔と等しく、
前記襟の係合部の間隔は、前記首当帯の係合部の間隔よりも短いことを特徴とするファン付上着。
【発明の詳細な説明】
【技術分野】
【０００１】
本発明は、外部からファンにより衣服内に空気を取り込み、身体を冷却するファン付上着に関するものである。
【背景技術】
【０００２】
夏場の暑い作業現場であっても、ケガや虫刺され、日焼けの予防の為に長袖の作業服が着用されている。長袖の作業服は熱が籠もりやすく、作業員を保護する熱中症対策の一つとして最近はファン付上着が利用されている。ファン付上着は、バッテリにより駆動されるファンを利用して能動的に外気を上着内に取り込み、上半身を冷却する。ファンは、上着の後身頃の腰付近に設けられた開口、若しくは、背中の裾部の位置に脱着自在に取付けられており、取り込まれた外気は首回りの襟口、若しくは袖口から排出され、身体を冷却する。例えば、特許文献１によれば、首回りの襟口に大きな排出口を設ける機構として、襟近辺に首当帯を設けている。首当帯は、一方の端部は服地に取り付けられ、他方の端部には留め具を有しており、後ろ身頃の内側から襟近くの左右の間隔を短縮して襟を弛ませる。その結果、襟と首当帯の間隔が開く。この開いた間隔により排出口が形成される。首当帯により襟を短縮させた状態で、首当帯が着用者の首に接すると、襟と首当帯との間に排出口が確保され、この排出口を利用して背中から上に向かって流れた空気を排出する。
【０００３】
特許文献１の首当帯は排出口の大きさ調整の機能を有しており、排出される空気の量を調整することができる。開度を小さくすれば排出空気の量が減りファン付上着が膨らみ、開度を広くすれば排出空気の量は増えるが襟の外観を損ねる。その兼ね合いを適当に調整可能としているのである。しかしながら、特許文献１における首当帯は、その一端は服地に縫い付けられており、使用していない場合には、首の裏側に紐がぶら下がっているというような不自然な違和感があるパーツになっている。
【０００４】
また、バッテリについては、容量が大きなものが小型化され、また出力も制御できるようになってきており、長時間対応やファンの送風強度が変更可能なようになってきている。特許文献２によれば、ファンを装着するチョッキの内側下部に電池ポケットを設け、バッテリを収容する。また、同文献には、衣服にバッテリを装着するよりもバッテリの重さを感じにくくするための工夫として、ベルトにバッテリを収容する案も提案されている。また、特許文献３には、服の内ポケットにバッテリを収容する例を示している。
【０００５】
バッテリをファン付上着の内側のポケットに収容する例においては、バッテリの出力を制御しようとすると、ファン付上着の胸を開いてバッテリに対して操作を加えなければならない。また、バッテリの交換についても、ファン付上着を着用したままであっては、片手で一方の前見頃を把持しておかなければならず、片手だけで接続作業を行わなければならない。よって、通常は、ファン付上着のファンにバッテリを接続して、ファン付上着の所定の収容場所にバッテリを収容した後に、ファン付上着を着用する。
【０００６】
バッテリをファン付上着とは別体のベルト等に収容した場合、ファン付上着をまくり上げれば、バッテリへの操作は一応には可能である。しかし、脱衣時にはバッテリとファンとの接続に注意が向かず、接続線が引き延ばされたり接栓に無理な力が加わったりすることが発生する。バッテリとファンとの接続する接続線及びコネクタ等の接栓にダメージが加わり、破損する可能性が増加する。
【先行技術文献】
【特許文献】
【０００７】
【特許文献１】特開２０１５−７４８５２公報
【特許文献２】実用新案登録第３１１８６９７号公報
【特許文献３】実公平３−５１２９５号公報
【発明の概要】
【発明が解決しようとする課題】
【０００８】
発明者らは、夏場の暑い炎天下の作業現場のみではなく、あらゆるシーン、例えば、近年の省エネ対応の冷房化の作業環境にあってもファン付上着の需要があると予想している。現状のファン付上着は、ファンが作動すると、風船のように大きく膨れる。空気が行き渡るように排出口を首回りの襟口、袖口に限定し、かつ途中で空気が漏れないようにポリエステル等の素材を用いても襟口、袖口に到る空気の経路を確保している。ファンによる冷却機能を効率良く機能させるには、空間を開けて上着内に取り込んだ空気が、抵抗少なく大量の空気を流すのである。逆に大きくふくれて、上半身だけが太って見えてしまうため、専らファッションよりも、熱中症対策というそもそもの機能が重視されているのが現状である。
【０００９】
本発明は、風船のように大きく膨れかっこよくないと言われるファン付上着の概念を変え、夏場の暑い作業現場だけではなく、若者があらゆる場所で着ても違和感のないデザイン性の高いファン付上着を提供することを目的とする。
【課題を解決するための手段】
【００１０】
上記目的を達成するために、本発明のファン付上着は、下部に空気取り込み口が開口した後身頃と、内側から左右の間隔を短縮して襟を弛ませる首当帯とを有し、前記空気取り込み口に取り付けられたファンを用いて空気を取り込み、前記襟と首当帯の間を利用して排出させるファン付上着において、前記首当帯の端部は、夫々両肩に固着され、前記首当帯の長さ方向に間隔を開けて雌雄の関係で係合可能な係合部が設けられており、前記係合部を係合することにより当該首当帯の長さを短縮することを特徴とする。
【発明の効果】
【００１１】
この発明によれば、ファン付上着をハンガーに掛けた際、また、折り畳んだ際に、前襟からのぞける位置に設けられる首当帯は服の形態の一部として取り込まれ、襟に排出口を形成させる使用していないシーンでも、ファン付上着のデザイン性を損なうことが無い。
また、ヘリンボーン柄を用いることにより、高級感のあるファン付上着と仕上げた。ヘリンボーン柄は山型の各模様を有しており、その山型模様の頂上が上に向かうように上下方向に配置した。この配置により、上昇する空気の流れが促進される。さらに、ヘリンボーン柄の織物地は、平織りの生地よりも厚みのある生地であり、ファン付上着が膨らむのが抑制することが可能となる。ヘリンボーン柄によりファッション性にこだわったファン付上着として、空調及び膨大化抑制を両立させることができる。
【図面の簡単な説明】
【００１２】
【図１】実施例１のファン付上着を示した図であり、図１Ａは胸側、図１Ｂは背中側を示している。
【図２】実施例１のファン付上着の内側を示した図であり、図２Ａは展示状態の首当帯、図２Ｂはファン動作状態の首当帯の状態を示している。
【図３】実施例２のファン付上着を示した図であり、図３Ａは首当帯の長さ関係、図３Ｂはファン動作状態の首当帯の状態を示している。
【図４】実施例２のファン付上着の首当帯の使い方の説明図であり、図４Ａはロゴダグとしての態様、図４Ｂは吊り下げ態様を示している。
【図５】実施例３のファン付上着への接続線の状態を示した図であり、図５Ａは胸側の状態、図５Ｂは内側の状態を示している。
【図６】実施例３のファン付上着の内側を示した図であり、図６Ａは各ポケット袋の説明図であり、図６Ｂは各ポケット袋が重ねられた状態を示す図である。
【図７】実施例３のファン付上着へ各ポケット袋の取付け状態を示す図である。
【発明を実施するための形態】
【００１３】
本発明の形態においては、大きく膨れるファン付上着よりも、ファン付上着が本来有する清涼性を維持したままファッション性にこだわることにした。清涼性をもたらす背中から襟口にかけての空気の流れは、これを維持したまま、上着全体のファッション性を向上させるようにした。
【００１４】
襟に排出口を形成させる首当帯は、服の形態の一部として取り込むようにして、ファンを使用していないシーンでも、存在を意識させないようにした。首当帯が取り付けられる位置は、ファン付上着をハンガーに掛けた際、また、折り畳んだ際に、襟元から見える位置にある。この位置は、ブランドネームが取り付けられる位置であり、非着用時には、特に目立つ位置である。
【００１５】
また、大きく膨れることに対処するため、背中腰部のファンから襟に抜ける空間の空気の流れを改善した。具体的には、後身頃の内側にヘリンボーン柄の織物地を用いた。ヘリンボーン柄はニシンの骨の形に似ていることから「へリンボーン」と呼ばれており、左右に裾が広がった山型模様が積み重なって連続したテクスチャを有している。本発明の別の形態では、ヘリンボーン柄による山型の各模様の頂上が上に向かうように配置したテクスチャＴＸとした。このようなヘリンボーンのテクスチャＴＸにより、上昇する空気の流れが促進される。さらに、ヘリンボーン柄の織物地は、平織りの生地よりも厚みのある生地であり、ファン付上着の膨大を抑制することが可能となった。ヘリンボーン柄の織物地は、男性用スーツ等に使用される紳士的な落ち着いた魅力を醸し出してくれる生地であり、作業服には極めてアンマッチである。しかしながら、当初の目的であるファッション性にこだわったファン付上着として、空調及び膨大化抑制を両立させることが可能となった。
【００１６】
さらに、本発明の別の形態では、ファン付上着を着たままで、バッテリの操作、装着／交換を可能にするため、ファン付上着の表側のポケット袋の内部に、バッテリを収容する内ポケット袋の入口を設け、表側のポケットの入口を経由して内ポケット袋の入口にバッテリが到達できるようにした。内ポケット袋に、ファン付上着の裏側に連通するコードホールが設けられ、ファンとバッテリとが接続線により接続される。
【実施例１】
【００１７】
ファン付上着１は、前身頃２、後身頃３、袖部４、襟５を有し、前身頃２は前面を開閉できるファスナーが備えられている。後身頃３の下部の左右には、ファン１５を取り付ける空気取り込み口６が開口されている（図では２箇所）。ファン付上着１は、ファン１５を用いて、衣服内に空気を流通させることにより、身体を冷却する。ファン１５より取り込まれた外部の空気は、衣服内側を介して襟口、袖口より排出される。
【００１８】
ファン付上着１の前身頃２、後身頃３或いは生地の全ては、ヘリンボーン柄の織物地を使用する。ファン付上着１の生地の全部で無くとも、少なくとも、後身頃３の内側はヘリンボーン柄の織物地とする。ヘリンボーン柄を構成する各山型模様の頂上は上に向けられたテクスチャＴＸとなっている。ファン付上着１の下部のファン１５から送り出された空気は、ヘリンボーン柄を構成する各山型模様の頂上に向かって上部に流れやすくなっており、ファン付上着１の膨大を抑止できる。前身頃２、後身頃３を両方ともヘリンボーン柄にすれば、ヘリンボーン柄の生地の厚みにより、より膨大しづらくすることができる。ファン付上着１の生地の全部にヘリンボーン柄の織物を用いれば、全体として高級感がある上着にすることができる。
【００１９】
ファン付上着１の背中の内側は、さらに、後身頃３と裏地１２により構成されている。一般的に裏地１２を設けることで、ファン付上着１に対してフォーマル感、高級感が付与される。また、さらに、裏地１２に社名ロゴ（ブランドネームタグＴ）を縫着することにより、裏地１２を背景として襟元に社名ロゴが良く映える。裏地１２は、大部分がメッシュ１６で構成され、上辺Ｐに沿って首当帯７が縫着されている。首当帯７の縫着箇所は、上辺Ｐに近い方が良いが、必ずしも上辺Ｐに重なっていなくても良いまた、首当帯７は伸縮しにくい帯体である。裏地１２は、左右端Ｑ、Ｑ（首当帯７の両端及びメッシュ１６の両端から構成される）が左右肩に縫い付けられている。また、首当帯７の両端は襟５の下側近辺の左右において後身頃３に固定されている。裏地１２は、後身頃３の全体を覆う必要は無く、正面襟元から見える程度で良い。後述するように、空気が後身頃３と裏地１２の間を流れるからである。上辺Ｐは後身頃３から分離状態にある。首当帯７の長さ方向に間隔を開けて、ボタン８とボタンホール９からなる雌雄の係合部１０が設けられている。係合部１０は、接合強度が確保されるのであれば、雌雄のスナップボタンでも良い。
【００２０】
首当帯７は、襟５の襟台５ａと略並行に配置されている。この状態で、ファン付上着１は商品展示され、若しくはハンガーに吊されて保管される。この状態下で襟元から覗けるのは、主に裏地１２である。首当帯７のボタン８とボタンホール９も視認できる状態ではあるが、裏地１２の一部としての首当帯７は、襟台５ａと略並行に見えるだけであり、裏地１２の意匠の中に違和感無く入り込んでいる。結局、裏地１２が見えることになり、ファン付上着１に対する高級感を付加している。特許文献１等に見られるような、首の裏側に紐がぶら下がっているというような不自然な違和感がない。
【００２１】
ファン付上着１にファン１５を装着して使用する場合には、係合部１０を係合して、首当帯７の長さを短縮して、襟５を弛ませ、かつ首当帯７が着用者の首の後ろに当接することにより、襟５と首当帯７との間に排出口を確保する。ファン付上着１の下部のファン１５から送り出された空気は、ヘリンボーン柄の山型の凹部に沿って上部に流れ、ファン付上着１内の熱とともに後身頃３と裏地１２の間を経て排出口から排出される。
本実施例では、後身頃３にヘリンボーン柄の織物地を使用したが、前見頃２、袖部４にヘリンボーン柄の織物地を採用しても良い。その場合、襟口、袖口へ流れる空気の流れが改善される。
また、本実施例では、裏地１２に首当帯７を縫着したが、裏地１２に縫着せずに首当帯７のみとして、首当帯７の両端を左右肩に縫い付けても良い。この場合、高級感は低下する。
【実施例２】
【００２２】
図３に、実施例２によるファン付上着２０を示す。ファン付上着２０は、実施例１のファン付上着１と同様に、後見頃２３にヘリンボーン柄の織物地を用いて模様の頂上を上に向かって配向させる点については同じであるが、首当帯２７の構成が異なる。首当帯２７は、帯状で両端に２つのボタンホール３１、３１を有する。ボタンホール３１、３１の間隔は、距離Ｌ１である。ファン付上着２０の後身頃２３の内側の上部の肩付近に裏地２２が縫い付けられている。裏地２２の全体はメッシュの生地で、中心に帯体２４が縫い付けられ、補強されている。裏地２２には、中心に沿って上下にボタン３２ａ、ボタン３２ａが設けられている。ボタン３２ａ、３２ａの位置の距離Ｌ３は首当帯２７の二つのボタンホール３１、３１の距離Ｌ１と同じである。
【００２３】
ファン付上着２０では、襟２５の襟台２５ａには左右に距離Ｌ２を開けて二つのボタン３２ｂ、３２ｂが設けられている。ボタン３２ｂ、３２ｂの距離Ｌ２は、ボタンホール３１、３１の距離Ｌ１より長い。ボタンホール３１、３１とボタン３２ｂ、３２ｂは、雌雄の係合部の関係を有しており、首当帯２７のボタンホール３１、３１に襟台２５ａのボタン３２ｂ、３２ｂを係合すると、襟台２５ａに弛みができ、襟２５と首当帯２７の間に空気が通る空間ができる。
【００２４】
また、ボタンホール３１、３１とボタン３２ａ、３２ａも、雌雄の係合部の関係を有しており、図４Ａにおいて、ファン付上着２０を商品展示する際若しくはハンガーに吊されて保管される際には、帯体２４のボタン３２ａ、３２ａに首当帯２７のボタンホール３１、３１をかける。裏地２２のボタン３２ａ、３２ａは視認できる状態ではあるが、首当帯２７は、帯体２４に重なって見えるだけであり、裏地２２の意匠の中に違和感無く入り込んでいる。さらに、首当帯２７に社名ロゴを縫着すれば、ロゴタグとしてデザイン的に一体化する。
【００２５】
また、図４Ｂに示すように、上側の裏地のボタン３２ａのみに首当帯２７の二つのボタンホール３１、３１をかけて、首当帯２７をループ状にすると、フックにかけることができる。ファン付上着２０の下部の空気取り込み口６からの空気は、後見頃２３のヘリンボーン柄の山型の凹部に沿って上部に流れ、ファン付上着２０内の熱とともに排出口から排出される。
【実施例３】
【００２６】
図５に、実施例３によるファン付上着４０を示す。ファン付上着４０は、実施例１のファン付上着１と同様に、後見頃２３にヘリンボーン柄の織物地を用いて模様の頂上を上に向かって配向させる点については同じであるが、本実施例においては、ファン付上着４０を着用したままで、バッテリ５１の操作、装着／交換が可能な様にした。すなわち、ファン付上着の表側のポケット袋の内部に、バッテリを収容する内ポケット袋の入口を設け、表側のポケットの入口を経由して内ポケット袋の入口にバッテリ５１が到達できるようにした。
【００２７】
図５において、バッテリ５１は、ファン１５の風量を増大減少の操作をするスイッチボタン５１ａを有している。また、バッテリ５１はファンへの接続線５２の端部に設けられた接栓５２ａと接続される接栓５１ｂを有している。
ファン付上着４０のポケット４６は脇ポケットである。ポケット４６は、前見頃４２の裏側に順にポケット袋４４と内ポケット袋４５が重なっており、内ポケット袋４５には、ファン１５からの接続線５２及びバッテリへの接栓５２ａが通過可能なコードホール４５ａが設けられている。
【００２８】
図６は、ファン付上着４０の前見頃４２の表側に開口が設けられたポケット４６の構成を示している。ポケット袋４４は、入口４４ｃがポケット４６の口になる箇所である。ポケット袋４４の内側にはスリット４４ａが設けられている。内ポケット袋４５の入口４５ｃは、スリット４４ａに対して縫着される。入口４５ｃには、開閉可能なようにファスナ４５ｄが取り付けられている。ファスナ４５ｄは、例えば面ファスナであって、ファン付上着４０内側の空気が入口４５ｃを介してファン付上着４０外側に漏れないようにするために、ファン付上着４０の内と外を塞ぐものである。また、内ポケット袋４５には、矢印イのように外部から内部に貫通したコードホール４５ａが設けられている。
【００２９】
図７において、前見頃４２に設けられたスリット４６ａに対して、ポケット袋４４の入口４４ｃを縫着する。接続線５２の接栓５２ａは、前見頃４２の裏側に配置されたコードホール４５ａ、内ポケット袋４５の入口４５ｃを通して、表側のポケット袋４４の入口４４ｃからファン付上着４０の表に出しておけば、ファン付上着４０を着用した状態で、服の表側の胸の前でバッテリ５１の操作／装着をすることができる。そして、そのまま、ポケット４６の中の内ポケット袋４５の中に収容し、ファスナ４５ｄを封止する。ファスナ４５ｄで封止した後は、ポケット４６は、ポケット袋４４のみをアクセス可能とする。
【００３０】
上記実施例においては、ポケット４６を脇ポケットの位置としたが、今後バッテリ５１がさらに小型化すれば、胸ポケットの位置にポケット４６を設けても良い。また、ヘリンボーン柄の織物地を用いたが、他の生地を用いても良い。また、入口４５ｃを封止するファスナを設けた場合は、ファスナ４５ｄは敢えて備える必要はない。ポケット４６を介して、ファン付上着４０内側の空気がファン付上着４０外側に漏れないように、ポケット４６を封止すれば良いからである。従って、ポケット袋４４若しくは内ポケット袋４５の少なくともいずれかが封止可能であれば良い。
【符号の説明】
【００３１】
１、２０、４０    ファン付上着
２、４２    前身頃
３、２３    後身頃
４    袖部
５    襟
６    空気取り込み口
７、２７    首当帯
８、３２ａ、３２ｂ  ボタン
９、３１  ボタンホール
１０  係合部
１２、２２  裏地
１５  ファン
４４  ポケット袋
４５  内ポケット袋
５１  バッテリ
５２  接続線
【図１】
2018111892.tif 000003
【図２】
2018111892.tif 000004
【図３】
2018111892.tif 000005
【図４】
2018111892.tif 000006
【図５】
2018111892.tif 000007
【図６】
2018111892.tif 000008
【図７】
2018111892.tif 000009
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
下部に空気取り込み口が開口した後身頃と、内側から左右の間隔を短縮して襟を弛ませる首当帯とを有し、前記空気取り込み口に取り付けられたファンを用いて空気を取り込み、前記襟と首当帯の間を利用して排出させるファン付上着において、
前記首当帯の端部は、夫々両肩に固着され、
前記首当帯の長さ方向に間隔を開けて雌雄の関係で係合可能な係合部が設けられており、前記係合部を係合することにより当該首当帯の長さを短縮することを特徴とするファン付上着。
【請求項２】
請求項１のファン付上着において、
ファン付上着の後身頃の内側はヘリンボーン柄の織物地であり、ヘリンボーン柄を構成する各山型模様の頂上は上に向けたテクスチャであることを特徴とするファン付上着。
【請求項３】
請求項１のファン付上着において、
前見頃の表側に開口が設けられたポケットであって、当該開口に入口が縫着され、内側にはスリットが設けられているポケット袋と、
前記ポケット袋のスリットに対して入口が縫着され、外部から内部に貫通したコードホールが設けられている内ポケット袋とを有し、前記ポケット袋及び内ポケット袋が順に前記前見頃の裏側に重なっており、かつファスナにより前記ポケット袋若しくは内ポケット袋の少なくともいずれかが封止可能である特徴とするファン付上着。